(57)【要約】【解決手段】  本願は、使用者の手の届く範囲内を洗浄する手動器具を開示する。この洗浄用器具は、長い洗浄用織物（２７）が螺旋状に固定されているネジ部位（２０）およびネジ部位に接続された柄（１０）を具備する。該洗浄用器具のネジ部位は、前記ネジ部位に洗浄用織物を固定するための固定部材を収容する取り付け孔を、含む。複数の環状リブ（２１）が、ネジ部位上に等間隔に備えられていて、各々のリブに凹部（２２）を形成している。本発明に係る洗浄用器具のネジ部位は、シンプルな構造を有するために、ネジ部位を製造するための金属鋳型の製造コストを劇的に低減すると共に、織物をネジ部位に強く固定する。
2005510335.tif 000002
【特許請求の範囲】
【請求項１】
使用者の手の届く範囲内である近距離を洗浄する洗浄用手動器具であって、
長い洗浄用織物（２７）が螺旋状に固定されているネジ部位（２０）および前記ネジ部位に接続された柄（１０）が具備してあり、
前記ネジ部位は、
そのネジ部位に洗浄用織物を固定するための固定部材（２６）を収容する取り付け孔（２５，２５’）と、
ネジ部位上に等間隔に備えられ、相互間に凹部を形成している複数の環状リブ（２１）とを有する洗浄用手動器具。
【請求項２】
請求項１に係る洗浄用手動器具であって、
ネジ部位に固定された洗浄用織物（２７）が、マイクロファイバーで構成されて、
ネジ部位に織物を付着させてあって、
取り付け孔（２５）の上部で、織物の上にパッキング部材（２３）を置いて、且つ、固定部材（２６）を取り付け孔（２５）の中に取り付けることによってパッキング部材（２３）と織物（２７）とをネジ部位に固定する洗浄用手動器具。
【発明の詳細な説明】
【技術分野】
【０００１】
本発明は、一般には、洗浄用手動器具に係り、さらに詳しくは、使用者の手の届く範囲内を洗浄し、短い棒状で、且つ、洗浄用織物が固定されたネジ部位および前記ネジ部位に接続された柄を具備する洗浄用手動器具の改良に関する。
【背景技術】
【０００２】
一般に、あるスペースの洗浄が必要な際は、そのスペースを織物で拭くために屈まなければならず快適でない。そのような問題を解消するために最近では、種々の洗浄用器具、例えば、パッド型洗浄用織物を備えたモップなどが開発されている。しかしながら、洗浄用に幅広く使用されるそのようなモップは、モップの軸部位に備え付けられたパッド型洗浄用織物の表面積が狭いので織物が容易に、且つ、不本意に汚れてしまう。従って、織物をモップの軸から度々外して汚れを落とさなければならない。その結果、使用者に不都合が生じる。更に、前記モップは、狭いスペースあるいは目的物の底面を洗浄する際には、パッド型洗浄用織物の幅が、洗浄するスペースより相対的に広いので、不都合にも屈まなければならないという他の問題を有している。
【０００３】
これらのような問題を解消するために、ローラー型洗浄用器具が提案されている。これらは、本発明の発明者によって出願されて、韓国意開２０００−０００２２８３号公報および韓国意匠第２０−０２０１７５８号に開示されている。上記のローラー型洗浄用器具は、前記パッド型洗浄用織物を備えたモップの問題を解消している。即ち、ローラー型洗浄用器具は、狭いスペースを容易に洗浄して、且つ、回転するように設計されているために、洗浄用織物の汚れた部位は、新たな部位と容易に入れ替えることができる。
【０００４】
図１は、ローラー型洗浄器具を示す分解斜視図である。これは、本発明の発明者によって出願されて、韓国意開２０００−０００２２８３号公報に開示されている。図面に示すように、洗浄用器具１０は、柄１１を具備した長い円柱状の棒１２を有する。織物伝導装置１３は、洗浄用器具１０の下部に備えられている。双方の織物装置１４は、取り外し自在に織物伝導装置１３へ装着してある。各々の織物装置１４は、洗浄用織物３５および円柱状の本体３０を有する。本体３０は、軸孔３１を有しているので、本体３０は、織物伝導装置１３のローター２２の上に備え付けられている。ロック用の凹部（図示せず）は、本体３０の内面に具備されて、その凹部をローター２２に具備されたロック用の突出部２８に噛み合わせることによって、織物用装置１４が織物伝導装置１３から不意に取り外されるのを防ぐ。本体３０は、更に、山部３６および谷部３７を有するネジ部位３８を含むために、織物３５が、本体３０に螺旋状に巻き付いて固定されている。参照符号２０および２９は、ベベルギアを示し、参照符号２４は、スターターを示し、また、参照符号２７は、スロットを示す。
【０００５】
図２は、ローラー型洗浄器具に含まれるネジ部位を示す斜視図である。これは、本発明の発明者によって出願されて、韓国意匠第２０−０２０１７５８号に開示されている。前記洗浄用器具は、洗浄用織物がネジ部位７に螺旋状に巻き付いて固定されるように設計されている。軸孔７０を有するネジ部位７は、円柱状の本体の外面上に備えられている。複数の第１環状リブ７２は、ネジ部位７の全長Ｌに沿って、等間隔に備えられている。各々の第１環状リブ７２は、凹部７１を有する。更に、第２環状リブ７２’は、隣接する二つの第１環状リブ７２の間に、同心的に備えられている。即ち、第２環状リブ７２’は、第１環状リブ７２の間に交互に配置されている。各々の第２環状リブ７２’は、各々の第１環状リブ７２より直径が小さい。第２環状リブ７２’は、長い織物がネジ部位７に螺旋状に巻き付いて固定される際に、洗浄用の前記織物が、第１環状リブ７２の間のスペースに深く差し込まれることを防止する。従って、洗浄用に用いられる織物の表面積が不本意に減少することを防止する。前記洗浄用器具は、凹部７１を有する２種類のリブ７２および７２’であって、前記リブは、山部および谷部を有するネジ部位と類似するので、織物は、圧縮されると共に、ネジ部位７に回転して巻き付く。一方では、山部および谷部を有するネジ部位を製造するための金属鋳型の製造は、困難である。しかしながら、前記洗浄用器具は、山部および谷部を有するネジ部位の使用を要しないので、製造コストおよび不良品の占める割合も低減する。
【０００６】
しかし、上記のような従来のローラー型洗浄用器具は、使用者の手の届く範囲内である近距離の狭い範囲を洗浄することは困難である。なぜなら、従来の洗浄用器具が、長い棒と面積の広い織物を有するからである。よって、使用者の手の届く範囲内の狭いスペースを洗浄する際には、洗浄用器具から取り外した織物装置のみが使用されていた。しかしながら、織物装置のみを使用した場合には、織物の保持が困難であった。
【発明の開示】
【発明が解決しようとする課題】
【０００７】
それ故に、従来技術によって発生した上記問題に専念しながら本発明は成された。よって本発明の目的は、短い棒状であって、使用者の手の届く範囲内を容易に洗浄し得る洗浄用手動器具を提供することである。
【０００８】
本発明の他の目的は、簡易構造を有するネジ部位を具備した洗浄用手動器具を提供することである。これによって、洗浄用織物をネジ部位に強く巻き付けることができ、且つ、ネジ部位を製造するための金属鋳型の製造コストを劇的に低減することができる。
【課題を解決するための手段】
【０００９】
上記目的を達成するために、本発明は、使用者の手の届く範囲内である近距離を洗浄する手動器具であって、長い洗浄用織物が螺旋状に固定されているネジ部位およびネジ部位に接続された柄を具備してあり、前記ネジ部位は、洗浄用織物を固定するための固定部材を収容する取り付け孔と、ネジ部位上に等間隔に備えられて、相互間に凹部を形成している複数の環状リブとを有する洗浄用手動器具を提供することである。
【００１０】
前記柄は短い棒状なので、使用者は、近距離の狭いスペースを容易に洗浄できる。加えて、前記洗浄用織物は、固定部材および取り付け孔を用いてネジ部位にさらに強く固定される。前記ネジ部位は、相互間に凹部を形成する１種類のリブのみを具備するために、その構造はとてもシンプルである。従って、従来のネジ部位を製造するための金属鋳型の製造コストと比較して、本願のネジ部位を製造するための金属鋳型の製造コストは、著しく低減される。
【００１１】
本発明は、洗浄用手動器具であって、ネジ部位に固定された洗浄用織物が、マイクロファイバーで構成されて、ネジ部位に織物を付着させてあって、取り付け孔の上部で、織物の上にパッキング部材を置いて、且つ、固定部材を取り付け孔の中に取り付けることによってパッキング部材と織物とをネジ部位に固定する洗浄用手動器具を提供する。
【００１２】
マイクロファイバーの織物は、容易に汚れを落とすことができて、通気性に優れ、且つ、長期間の使用後でも容易に変形しない。また、マイクロファイバーの織物は、化学物質に対して、強い抵抗力を示し、且つ、耐久性を有するために経済的である。更に、パッキング部材の使用により、ネジ部位、織物およびパッキング部材が互いに表面上で接触するので、高い固定力を提供する。従って、織物がネジ部位から不本意に取り外されることを防止する。
【発明を実施するための最良の形態】
【００１３】
上記目的および他の目的、本発明の特徴およびその他の利点は、添付する図面に結びつけられた次に示す詳細な説明から、より明瞭に理解されるであろう。
図１は、従来技術に係る洗浄器具を示す分解斜視図、図２は、他の従来技術に係る洗浄器具のネジ部位を示す斜視図、図３は、本発明による望ましい実施形態に係る洗浄用手動器具であり、前記器具から洗浄用織物を取り外した状態を示す斜視図、図４は、本発明に係る洗浄用手動器具のネジ部位に具備されたリブを示す断面図、図５は、本発明に係る洗浄用手動器具であり、前記器具に洗浄用織物を取り付けた状態を示す斜視図、図６は、本発明に係るネジ部位の取り付け孔に固定された洗浄用織物を示す断面図である。
次に、図面を参照されたい。ここにおいて、異なる図面に用いられた同様の参照符号は、同様又は類似する構成部位を示す。
【００１４】
図３は、本発明による望ましい実施形態に係る洗浄用手動器具を示す斜視図である。本発明の発明者によって出願された従来の洗浄用器具と異なり、本発明の洗浄用器具は、短い棒状で、その周囲に洗浄用織物が巻き付いている手持ち型である。棒状の洗浄用器具は、織物が固定されたネジ部位２０およびネジ部位２０に接続された柄１０を具備する。好ましくは、器具の全長は２５〜３５ｃｍであって、柄１０の長さは１０〜１５ｃｍであって、且つ、柄の直径は２〜５ｃｍなので、洗浄の際に使用者が容易に器具を保持することができる。
【００１５】
複数の環状リブ２１が等間隔でネジ部位２０に備えられている。各々のリブ２１は、凹部２２を有する。更に、隣接する二つのリブ２１の間に溝２４が形成されている。即ち、溝２４は、リブ２１の間に交互に配置されている。参照符号２５および２５’は、ボルト取り付け孔を示す。即ち、ボルトをボルト取り付け孔２５および２５’に締め付けて、ネジ部位２０に洗浄用織物を強く固定する。
【００１６】
図４は、リブ２１の１つを示す断面図であって、図３に示すネジ部位２０に具備されている。図４に詳細に示されているように、リブ２１は、リング状であって、ネジ部位２０より突き出している。更に、凹部２２は、リブ２１の予め決まった箇所に成形されている。
【００１７】
図２に示す従来の洗浄用器具は、２種類のリブを有する。即ち、大きな直径を有する第１リブ７２および小さな直径を有する第２リブ７２’を具備して、各々のリブが凹部７１を有する。しかしながら、本発明に係る洗浄用器具は、相互間に凹部２２を形成している１種類のリブ２１のみを有する。本発明の洗浄用器具は、直径２〜５ｃｍなので、リブ２１間のスペースに深く挟まれない。従って、本発明の洗浄用器具は２種類のリブを要しない。結果として、ネジ部位２０の構造は簡素化されて、ネジ部位２０を製造するための金属鋳型の製造コストが、著しく低減される。
【００１８】
図５は、本発明に係る洗浄用手動器具を示す斜視図である。図５に示す洗浄用器具は、マイクロファイバーによって織られた長い洗浄用織物を含む。ネジ部位に洗浄用織物を固定するために洗浄用織物をネジ部位に螺旋状に回転させる。マイクロファイバーは、いくつかの優れた性質を持つ。例えば、マイクロファイバーは、容易に汚れが落とせて、通気性に優れ、且つ、長期間の使用後でも容易に変形しない。さらに、マイクロファイバーは、化学物質に対して強い抵抗力を示すために、例えば、合成洗剤、漂白剤などの液体化学物質に浸水しても変形しないので、経済的である。
【００１９】
図３に示すように、ボルト取り付け孔２５および２５’は、ネジ部位２０の両端の溝２４に形成されている。図６は、ネジ部位２０の取り付け孔２５に固定された洗浄用織物を示す断面図である。洗浄用織物２７をネジ部位２０に固定する工程を以下に示す。最初に、洗浄用織物２７の端部を、溝２４に形成されたボルト取り付け孔２５の上部に配置する。次に、ボルト２６をボルト取り付け孔２５に締め付けることによって、洗浄用織物２７をネジ部位２０に固定する。この時、パッキング部材２３が、ボルト２６およびボルト取り付け孔２５の間に差し挟まれる。これによって、溝２４、洗浄用織物２７およびパッキング部材２３が互いに表面上で接触するために高い固定力を有する。従って、洗浄用織物２７が、ネジ部位２０から不本意に取り外されることを防止する。
【産業上の利用可能性】
【００２０】
このように、本発明は、短い棒状であって、使用者が手の届く範囲内を容易に洗浄できる洗浄用手動器具を提供する。加えて、本発明の洗浄用器具は、手作業での洗浄が困難な高低差を有する面または狭いスペースを、容易に洗浄できる。
【００２１】
また、洗浄用織物は、洗浄用器具のネジ部位から容易に取り外されないために、使用者は、前記器具を用いることによって、対象となる面を安定して洗浄できる。ネジ部位はシンプルな構造を有するために、ネジ部位を製造する金属鋳型の製造コストは、著しく低減される。
【００２２】
洗浄用織物が、マイクロファイバーによって織られているために、テーブル、壁および家具などの様々な対象物を覆う微細な塵や埃は、散布されることなく前記織物によって拭き取られる。加えて、洗浄用織物の汚れを頻繁に落としても織物は、その優れた弾性および伸縮性を失わない。更に、マイクロファイバーによって織られた洗浄用織物は、容易に汚れを拭き取るために、水気を含む布または乾燥した布として、幅広く使用されることができる。
【００２３】
本発明の好ましい実施形態が、説明のために開示されたが、この分野の技術に熟練した者にとっては、添付する請求項に開示された発明の範囲および精神から逸脱することなく、種々の変更、付加および代替が可能であることは容易に理解される。
【図面の簡単な説明】
【００２４】
【図１】図１は、従来技術に係る洗浄器具を示す分解斜視図である。
【図２】図２は、他の従来技術に係る洗浄器具のネジ部位を示す斜視図である。
【図３】図３は、本発明による望ましい実施形態に係る洗浄用手動器具であり、前記器具から洗浄用織物を取り外した状態を示す斜視図である。
【図４】図４は、本発明に係る洗浄用手動器具のネジ部位に具備されたリブを示す断面図である。
【図５】図５は、本発明に係る洗浄用手動器具であり、前記器具に洗浄用織物を取り付けた状態を示す斜視図である。
【図６】図６は、本発明に係るネジ部位の取り付け孔に固定された洗浄用織物を示す断面図である。
【図１】
2005510335.tif 000003
【図２】
2005510335.tif 000004
【図３】
2005510335.tif 000005
【図４】
2005510335.tif 000006
【図５】
2005510335.tif 000007
【図６】
2005510335.tif 000008
【国際調査報告】
2005510335.tif 000009